(57)【要約】【課題】接合部位における水漏れを抑制できるポンプ着脱装置およびポンプシステムを提供する。【解決手段】ポンプ着脱装置は、設置面に固定して設置される着脱装置本体と、ポンプに固定されて着脱装置本体に装着可能に構成された着脱フランジと、を備える。着脱装置本体は、固定配管を有し、着脱フランジは、ポンプの吐出口と固定配管とを接続するための接続配管とを有している。着脱フランジが着脱装置本体に装着される際に固定配管の端面と合わされる接続配管の端面には、内径側の縁に沿って周状に溝が形成されており、溝内には、環状の弾性体からなる封止用部材が配置されている。封止用部材の内径側の端部には、ポンプの吐き出し圧力を受けると軸方向に広がるような凹空間が形成されている。封止用部材の固定配管側の端部は、接続配管の端面が固定配管の端面と合わされる前の自然状態において、接続配管の端面と同じ位置か当該端面から固定配管側にはみ出している部分を有している。【選択図】  図４
2020045847.tif 000002
【特許請求の範囲】
【請求項１】
設置面に固定して設置される着脱装置本体と、
ポンプに固定されて前記着脱装置本体に装着可能に構成された着脱フランジと、
を備え、
前記着脱装置本体は、被係止部と固定配管とを有し、
前記着脱フランジは、当該着脱フランジが鉛直方向に移動することにより前記被係止部と係止する係止部と、前記ポンプの吐出口と前記固定配管とを接続するための接続配管とを有し、
前記着脱フランジが前記着脱装置本体に装着される際に前記固定配管の端面と合わされる前記接続配管の端面には、内径側の縁に沿って周状に溝が形成されており、
前記溝内には、環状の弾性体からなる封止用部材が配置されており、
前記封止用部材の内径側の端部には、ポンプの吐き出し圧力を受けると軸方向に広がるような凹空間が形成されており、
前記封止用部材の固定配管側の端部は、前記接続配管の端面が前記固定配管の端面と合わされる前の自然状態において、前記接続配管の端面と同じ位置か当該端面から固定配管側にはみ出している部分を有している、
ポンプ着脱装置。
【請求項２】
前記封止用部材の内径側の端部は、径方向において前記接続配管の内周面と同じ位置かそれよりも外径側に位置決めされている、
請求項１に記載のポンプ着脱装置。
【請求項３】
設置面に固定して設置される着脱装置本体と、
ポンプに固定されて前記着脱装置本体に装着可能に構成された着脱フランジと、
を備え、
前記着脱装置本体は、被係止部と固定配管とを有し、
前記着脱フランジは、当該着脱フランジが鉛直方向に移動することにより前記被係止部と係止する係止部と、前記ポンプの吐出口と前記固定配管とを接続するための接続配管とを有し、
前記着脱フランジが前記着脱装置本体に装着される際に前記接続配管の端面と合わされる前記固定配管の端面には、内径側の縁に沿って周状に溝が形成されており、
前記溝内には、環状の弾性体からなる封止用部材が配置されており、
前記封止用部材の内径側の端部には、ポンプの吐き出し圧力を受けると軸方向に広がるような凹空間が形成されており、
前記封止用部材の接続配管側の端部は、前記固定配管の端面が前記接続配管の端面と合わされる前の自然状態において、前記固定配管の端面と同じ位置か当該端面から接続配管側にはみ出している部分を有している、
ポンプ着脱装置。
【請求項４】
前記封止用部材の内径側の端部は、径方向において前記固定配管の内周面と同じ位置かそれよりも外径側に位置決めされている、
請求項３に記載のポンプ着脱装置。
【請求項５】
前記封止用部材は、前記凹空間より外径側の部分において、前記溝の底面にビス止めされて固定されている、
請求項１〜４のいずれかに記載のポンプ着脱装置。
【請求項６】
前記封止用部材のうち前記凹空間より外径側の部分には、環状の芯金が埋設されており、前記封止用部材は前記溝の外周面に嵌め合わされて固定されている、
請求項１〜４のいずれかに記載のポンプ着脱装置。
【請求項７】
請求項１〜６のいずれかに記載のポンプ着脱装置と、
ポンプと、
を備えたポンプシステム。
【請求項８】
設置面に固定して設置される着脱装置本体と、ポンプに固定されて前記着脱装置本体に装着可能に構成された着脱フランジと、を備え、前記着脱装置本体は、被係止部と固定配管とを有し、前記着脱フランジは、当該着脱フランジが鉛直方向に移動することにより前記被係止部と係止する係止部と、前記ポンプの吐出口と前記固定配管とを接続するための接続配管とを有し、前記着脱フランジが前記着脱装置本体に装着される際に前記固定配管の端面と合わされる前記接続配管の端面には、内径側の縁に沿って周状に溝が形成されており、前記溝内には、封止用部材が配置されているポンプ着脱装置の封止用部材であって、
環状の弾性体からなり、内径側の端部には、ポンプの吐き出し圧力を受けると軸方向に広がるような凹空間が形成されており、軸方向の厚さが、前記接続配管の端面が前記固定配管の端面と合わされる前の自然状態において、前記溝の軸方向の寸法と同じかより大きい、
ポンプ着脱装置の封止用部材。
【請求項９】
設置面に固定して設置される着脱装置本体と、ポンプに固定されて前記着脱装置本体に装着可能に構成された着脱フランジと、を備え、前記着脱装置本体は、被係止部と固定配管とを有し、前記着脱フランジは、当該着脱フランジが鉛直方向に移動することにより前記被係止部と係止する係止部と、前記ポンプの吐出口と前記固定配管とを接続するための接続配管とを有し、前記着脱フランジが前記着脱装置本体に装着される際に前記接続配管の端面と合わされる前記固定配管の端面には、内径側の縁に沿って周状に溝が形成されており、前記溝内には、封止用部材が配置されているポンプ着脱装置の封止用部材であって、
環状の弾性体からなり、内径側の端部には、ポンプの吐き出し圧力を受けると軸方向に広がるような凹空間が形成されており、軸方向の厚さが、前記固定配管の端面が前記接続配管の端面と合わされる前の自然状態において、前記溝の軸方向の寸法と同じかより大きい、
ポンプ着脱装置の封止用部材。
【請求項１０】
前記封止用部材の内径は、前記接続配管又は前記固定配管の内径と同じかそれより大きい、
請求項８又は９のいずれかに記載のポンプ着脱装置の封止用部材。
【発明の詳細な説明】
【技術分野】
【０００１】
本発明は、ポンプ着脱装置およびポンプシステムに関する。
【背景技術】
【０００２】
汚水用の水中ポンプを据え付ける方法として、ポンプ着脱装置を使用して設置することが一般的になっている。ポンプ着脱装置は、通常、予め設置場所に固定して設定される着脱装置本体と、ポンプに固定されて着脱装置本体に装着可能に構成される着脱フランジとを備えている。このうち着脱装置本体は、固定配管を支持しており、着脱フランジは、ポンプの吐出口と固定配管とを接続するための接続配管を有している。また、着脱フランジには、下方に開口したフックが設けられており、着脱装置本体には、フックと係合する被係止部が設けられている。そして、フックと被係止部とが係止するようにポンプおよび着脱フランジが鉛直下方に降ろされることで、着脱フランジが着脱装置本体に装着され、ポンプが設置場所に設置される。このときには、ポンプの自重によって着脱フランジと着脱装置本体との装着が維持される。
【０００３】
しかしながら、フックと被係止部との当接部分を支軸とした着脱装置の支持部が水中で腐食することにより、支持部の支点がずれて、接続配管と固定配管との合わせ面が開いて漏れてしまうことがある。さらに、接続配管と固定配管との合わせ面も運転時間の経過とともに腐食が進むことにより、合わせ面からの漏れが増えてしまうことがある。
【０００４】
合わせ面からの漏れは徐々に増加していき、気が付かないで運転を継続していると、大きなエネルギーロスをしてしまう事態になる。
【０００５】
特許文献１には、ポンプ吐出口と固定配管との合わせ面が離反しても該離反部からの漏れを防止するために、ポンプ吐出口の内周面に弾性材料からなるチューブの一方の端縁部を固定させ、他方の端縁部を自由端としてポンプ吐出口内へ背向状に収納させ、ポンプの駆動時の吐出圧によりチューブの自由端を反転させて固定配管の内周面に嵌合させることが提案されている。
【先行技術文献】
【特許文献】
【０００６】
【特許文献１】特開平６−１８５４９２号公報
【発明の概要】
【発明が解決しようとする課題】
【０００７】
しかしながら、特許文献１で提案された技術では、ポンプ吐出口から異物が流れてくると、チューブの自由端が異物により削ぎ取られて失われてしまうおそれがある。また、削ぎ取られにくくするためにチューブの剛性を高めた場合には、ポンプの吐出圧が相当大きくないと、チューブの自由端を反転させて固定配管の内周面に嵌合させることができなくなる。また、ポンプの吐出圧が大きい状態を維持できないと、チューブの自由端はポンプ吐出口内へ収納された状態に容易に復帰してしまい、水が漏れてしまう。
【０００８】
本発明は、以上のような点を考慮してなされたものである。本発明の目的は、接合部位における水漏れを抑制できるポンプ着脱装置およびポンプシステムを提供することにある。
【課題を解決するための手段】
【０００９】
本発明の第１の態様に係るポンプ着脱装置は、
設置面に固定して設置される着脱装置本体と、
ポンプに固定されて前記着脱装置本体に装着可能に構成された着脱フランジと、
を備え、
前記着脱装置本体は、被係止部と固定配管とを有し、
前記着脱フランジは、当該着脱フランジが鉛直方向に移動することにより前記被係止部と係止する係止部と、前記ポンプの吐出口と前記固定配管とを接続するための接続配管とを有し、
前記着脱フランジが前記着脱装置本体に装着される際に前記固定配管の端面と合わされる前記接続配管の端面には、内径側の縁に沿って周状に溝が形成されており、
前記溝内には、環状の弾性体からなる封止用部材が配置されており、
前記封止用部材の内径側の端部には、ポンプの吐き出し圧力を受けると軸方向に広がるような凹空間が形成されており、
前記封止用部材の固定配管側の端部は、前記接続配管の端面が前記固定配管の端面と合わされる前の自然状態において、前記接続配管の端面と同じ位置か当該端面から固定配管側にはみ出している部分を有している。
【００１０】
このような態様によれば、封止用部材の固定配管側の端部は、接続配管の端面が固定配管の端面と合わされる前の自然状態において、接続配管の端面から固定配管側にはみ出している部分を有している場合には、接続配管の端面が固定配管の端面と合わされる際に、封止用部材は固定配管の端面に確実に密着して、固定配管と接続配管との合わせ面の封止性を向上させることができる。また、封止用部材の固定配管側の端部は、接続配管の端面が固定配管の端面と合わされる前の自然状態において、接続配管の端面と同じ位置である場合にも、接続配管の端面が固定配管の端面と合わされる際に、封止用部材は固定配管の端面に密着することができるので、固定配管と接続配管との合わせ面の封止性を向上させることができる。さらに、封止用部材の内径側の端部には、ポンプの吐き出し圧力を受けると軸方向に広がるような凹空間が形成されているため、ポンプの駆動時には、凹空間にポンプの吐き出し圧力が加わることで、封止用部材は軸方向に広がるように（凹空間が開くように）変形され、封止用部材の軸方向の両端部がそれぞれ、溝の底面と固定配管の端面に押し付けられて密着される。これにより、固定配管と接続配管との合わせ面（接合部位）の封止性が向上する。また、被係止部と係止部との当接部分にあたる着脱装置の支持部が腐食することにより、支持部の支点がずれて、固定配管と接続配管との合わせ面に隙間が発生する場合であっても、凹空間においてポンプの吐き出し圧力を受けている封止用部材は、その隙間に合わせて軸方向に広がるように（凹空間が開くように）変形され、隙間を封止して水漏れを抑制することができる。
【００１１】
本発明の第２の態様に係るポンプ着脱装置は、第１の態様に係るポンプ着脱装置であって、
前記封止用部材の内径側の端部は、径方向において前記接続配管の内周面と同じ位置かそれよりも外径側に位置決めされている。
【００１２】
このような態様によれば、ポンプ吐出口から異物が流れてきても、封止用部材が異物により削ぎ取られることがなく、接合部位の封止性を長期にわたって維持することができる。
【００１３】
本発明の第３の態様に係るポンプ着脱装置は、
設置面に固定して設置される着脱装置本体と、
ポンプに固定されて前記着脱装置本体に装着可能に構成された着脱フランジと、
を備え、
前記着脱装置本体は、被係止部と固定配管とを有し、
前記着脱フランジは、当該着脱フランジが鉛直方向に移動することにより前記被係止部と係止する係止部と、前記ポンプの吐出口と前記固定配管とを接続するための接続配管とを有し、
前記着脱フランジが前記着脱装置本体に装着される際に前記接続配管の端面と合わされる前記固定配管の端面には、内径側の縁に沿って周状に溝が形成されており、
前記溝内には、環状の弾性体からなる封止用部材が配置されており、
前記封止用部材の内径側の端部には、ポンプの吐き出し圧力を受けると軸方向に広がるような凹空間が形成されており、
前記封止用部材の接続配管側の端部は、前記固定配管の端面が前記接続配管の端面と合わされる前の自然状態において、前記固定配管の端面と同じ位置か当該端面から接続配管側にはみ出している部分を有している。
【００１４】
このような態様によれば、封止用部材の接続配管側の端部は、固定配管の端面が接続配管の端面と合わされる前の自然状態において、固定配管の端面から接続配管側にはみ出している部分を有しているため、固定配管の端面が接続配管の端面と合わされる際に、封止用部材は接続配管の端面に確実に密着して、固定配管と接続配管との合わせ面の封止性を向上させることができる。また、封止用部材の固定配管側の端部は、接続配管の端面が固定配管の端面と合わされる前の自然状態において、接続配管の端面と同じ位置である場合にも、接続配管の端面が固定配管の端面と合わされる際に、封止用部材は固定配管の端面に密着することができるので、固定配管と接続配管との合わせ面の封止性を向上させることができる。さらに、封止用部材の内径側の端部には、ポンプの吐き出し圧力を受けると軸方向に広がるような凹空間が形成されているため、ポンプの駆動時には、凹空間にポンプの吐き出し圧力が加わることで、封止用部材は軸方向に広がるように（凹空間が開くように）変形され、封止用部材の軸方向の両端部がそれぞれ、溝の底面と接続配管の端面に押し付けられて密着される。これにより、固定配管と接続配管との合わせ面の封止性が向上する。また、被係止部と係止部との当接部分にあたる着脱装置の支持部が腐食することにより、支持部の支点がずれて、固定配管と接続配管との合わせ面に隙間が発生する場合であっても、凹空間においてポンプの吐き出し圧力を受けている封止用部材は、その隙間に合わせて軸方向に広がるように（凹空間が開くように）変形されるため、隙間を封止して水漏れを抑制することができる。
【００１５】
本発明の第４の態様に係るポンプ着脱装置は、第３の態様に係るポンプ着脱装置であって、
前記封止用部材の内径側の端部は、径方向において前記固定配管の内周面と同じ位置かそれよりも外径側に位置決めされている。
【００１６】
このような態様によれば、ポンプ吐出口から異物が流れてきても、封止用部材が異物により削ぎ取られることがなく、封止性を長期にわたって維持することができる。
【００１７】
本発明の第５の態様に係るポンプ着脱装置は、第１〜４のいずれかの態様に係るポンプ着脱装置であって、
前記封止用部材は、前記凹空間より外径側の部分において、前記溝の底面にビス止めされて固定されている。
【００１８】
本発明の第６の態様に係るポンプ着脱装置は、第１〜４のいずれかの態様に係るポンプ着脱装置であって、
前記封止用部材のうち前記凹空間より外径側の部分には、環状の芯金が埋設されており、前記封止用部材は前記溝の外周面に嵌め合わされて固定されている。
【００１９】
本発明の第７の態様に係るポンプシステムは、
第１〜６のいずれかの態様に係るポンプ着脱装置と、
ポンプと、
を備える。
【発明の効果】
【００２０】
本発明によれば、ポンプ着脱装置において接合部位における水漏れを抑制できる。
【図面の簡単な説明】
【００２１】
【図１】図１は、第１の実施形態に係るポンプシステムの一例を示す模式図である。
【図２】図２は、第１の実施形態に係るポンプシステムにおけるポンプおよび着脱フランジの一例を示す模式図である。
【図３】図３は、第１の実施形態に係るポンプシステムにおいて着脱フランジと着脱装置本体とが装着されたときの接合部位を拡大して示す断面図である。
【図４】図４は、第１の実施形態に係るポンプシステムにおいて着脱フランジと着脱装置本体とが装着される前の接合部位を拡大して示す断面図である。
【図５】図５は、封止用部材の一変形例を説明するための図である。
【図６】図６は、封止用部材の別の変形例を説明するための図である。
【図７】図７は、第２の実施形態に係るポンプシステムにおいて着脱フランジと着脱装置本体とが装着されたときの接合部位を拡大して示す断面図である。
【図８】図８は、第２の実施形態に係るポンプシステムにおいて着脱フランジと着脱装置本体とが装着される前の接合部位を拡大して示す断面図である。
【発明を実施するための形態】
【００２２】
以下に、添付の図面を参照して、本発明の実施の形態を詳細に説明する。なお、本明細書に添付する図面においては、図示の理解のしやすさの便宜上、適宜縮尺および縦横の寸法比等を、実物のそれらから変更し誇張してある。また、以下の説明および以下の説明で用いる図面では、同一に構成され得る部分について、同一の符号を用いるとともに、重複する説明を省略する。
【００２３】
図１は、第１の実施形態に係るポンプシステム１０の一例を示す模式図である。以下では、ポンプシステム１０の一例として、汚水用ポンプを備えるポンプシステムを説明するが、本発明はこれに限られるものではなく、たとえば、建物に給水するための給水ポンプに適用してもよいし、浄水施設に設置される浄水ポンプに適用してもよい。
【００２４】
図１に示すように、ポンプシステム１０は、水を移送するためのポンプ２０と、ポンプ２０を着脱自在に支持するためのポンプ着脱装置３０と、を備えている。このポンプシステム１０は、たとえば、マンホールなどの下水中継ポンプ槽内に設置されるが、こうした例に限定されず、ポンプ２０の用途に応じた場所に設置されればよい。
【００２５】
本実施の形態では、ポンプ２０は、水中ポンプとして構成されている。図１に示すように、ポンプ２０は、鉛直下方に形成された吸込口２１と、側方に形成された吐出口２２とを有している。ただし、こうした例に限定されず、吸込口２１と吐出口２２とは用途に応じてポンプ２０の任意の場所に形成されていればよい。
【００２６】
ポンプ２０は、モータ２３からの動力によって内部の羽根車（不図示）を回転させ、吸込口２１から水を吸い込んで吐出口２２から水を吐出する。図１に示す例では、モータ２３は、鉛直方向に沿った回転軸を有し、ポンプ２０の上部に設けられているが、こうした例に限定されない。
【００２７】
また、ポンプ２０の上部には、吊り具５６を取り付けるための取付部２４が設けられている。吊り具５６は、たとえばチェーンであり、ポンプ２０は吊り具５６により吊り下げられて鉛直方向に移動される。
【００２８】
図１に示すように、ポンプ着脱装置３０は、設置面Ｍｓに固定して設置される着脱装置本体３２と、ポンプ２０に固定される着脱フランジ４０と、を有している。
【００２９】
このうち着脱装置本体３２は、ポンプ２０を設置したい場所に応じて、予めポンプ槽内の設置面Ｍｓにアンカーボルト止めなどで固定される。着脱装置本体３２は、固定配管３３を有しており、着脱装置本体３２が設置面Ｍｓに固定されることにより、固定配管３３はポンプ槽内に固定される。
【００３０】
なお、着脱装置本体３２は、ポンプ２０の大きさなどに基づいて固定配管３３が所望の高さ位置に固定されるように架台３６の高さなどが定められればよい。本実施の形態では、固定配管３３は、エルボ配管５０に接続され、エルボ配管５０を介して排水管（不図示）に接続される。
【００３１】
図１に示すように、着脱装置本体３２には、着脱フランジ４０の係止部４４と係止するための被係止部３４が設けられている。本実施の形態では、被係止部３４は、固定配管３３から鉛直上方に突出して形成されている。また、この被係止部３４の位置に対応させて、ポンプ槽には、鉛直方向に延びるガイドレール５２が設けられている。ガイドレール５２は、たとえばパイプであり、着脱装置本体３２と同様にポンプ槽に予め固定される。
【００３２】
図２は、ポンプ２０および着脱フランジ４０の一例を示す模式図である。なお、図２では、着脱フランジ４０の一部を縦断面で示している。
【００３３】
図１および図２に示すように、着脱フランジ４０は、ポンプ２０の吐出口２２に接続される接続配管４２を有している。本実施の形態では、着脱フランジ４０は、ポンプ２０の吐出口２２と接続配管４２とがボルト止めされることによってポンプ２０に固定されている。なお、ポンプ２０の吐出口２２と接続配管４２との合わせ面はＯリングなどで封止されていてもよい。
【００３４】
着脱フランジ４０には、着脱装置本体３２の被係止部３４と係止するための係止部４４が設けられている。図２に示すように、係止部４４は、鉛直下方に開口したフック形状を有しており、被係止部３４に対して係止部４４が鉛直上方から掛かることにより、係止部４４と被係止部３４とが係止する。このときには、接続配管４２の端面と固定配管３３の端面とが互いに向き合うように合わせられ、接続配管４２と固定配管３３とが接続される。また、このときには、接続配管４２と固定配管３３との合わせ面（接合部位）に、被係止部３４と係止部４４との当接部分を支軸としたポンプ２０の自重による力が作用する。
【００３５】
こうした構成によって、ポンプ２０および着脱フランジ４０を着脱装置本体３２に対して鉛直上方から降ろすことにより、着脱フランジ４０を着脱装置本体３２に装着させてポンプ槽内にポンプ２０を設置することができる。
【００３６】
図１および図２に示すように、着脱フランジ４０のうち係止部４４の先端には、ガイドレール５２が挿通する孔部４７が形成されたガイド体４６が設けられている。ガイド体４６は、孔部４７にガイドレール５２が挿通されることにより、着脱フランジ４０およびポンプ２０の鉛直方向の移動をガイドする。こうしたガイドレール５２およびガイド体４６により、着脱フランジ４０と着脱装置本体３２との装着をより容易にすることができる。
【００３７】
なお、ガイド体４６は、ガイドレール５２に案内されて着脱フランジ４０およびポンプ２０の鉛直方向の移動をガイドするものであればよく、たとえば孔部４７に代えてガイドレール５２の形状に対応した凹部などが形成されるものであってもよい。
【００３８】
図３は、着脱フランジ４０と着脱装置本体３２とが装着されたときの接合部位を拡大して示す断面図である。図４は、着脱フランジ４０と着脱装置本体３２とが装着される前の接合部位を拡大して示す断面図である。
【００３９】
図３および図４に示すように、着脱フランジ４０が着脱装置本体３２に装着される際に固定配管３３の端面と合わされる接続配管４２の端面には、内径側の縁に沿って周状に溝４２ａが形成されており、当該溝４２ａ内には、環状の弾性体からなる封止用部材４８が配置されている。封止用部材４８の材質としては、たとえばゴムなどのエラストマーが用いられる。
【００４０】
図３および図４に示すように、封止用部材４８の内径側の端部には、ポンプ２０の駆動時に吐き出し圧力を受けると軸方向に広がるような凹空間４８ａが形成されている。図示された例では、凹空間４８ａの断面形状は、「コ」字形状であるが、ポンプ２０の吐き出し圧力に応じて軸方向に広がることができる形状であれば、これに限定されるものではなく、たとえば図６に示すような「Ｖ」字形状であってもよいし、図示は省略するが「Ｕ」字形状であってもよい。
【００４１】
図３および図４に示す例では、封止用部材４８は、凹空間４８ａより外径側の部分において、溝４２ａの底面にビス止めされて固定されている。なお、本明細書において「ビス」には、ねじやボルトも含まれる。
【００４２】
一変形として、図５に示すように、封止用部材４８のうち凹空間４８ａより外径側の部分には、環状の芯金４８ｂが埋設されており、封止用部材４８はその弾性力により溝４２ａの外周面に嵌め合わされて固定されていてもよい。この場合、封止用部材４８を溝４２ａに固定するために封止用部材４８をビス止めする必要がなくなるので、ビスの腐食等のビス止めに起因する不具合を排除することができる。
【００４３】
図４に示すように、封止用部材４８の固定配管３３側の端部は、接続配管４２の端面が固定配管３３の端面と合わされる前の自然状態（応力も変形もない初期状態）において、接続配管４２の端面から固定配管３３側にはみ出している部分を有している。言い換えれば、封止用部材４８の少なくとも一部は、軸方向の自然長が、溝４２ａの深さ（軸方向の長さ）より大きくなっている。
【００４４】
封止用部材４８の固定配管３３側の端部の、接続配管４２の端面からの軸方向のはみ出し量は、特に限定されるものではなく、封止用部材４８の寸法や剛性、固定配管３３および接続配管４２の端面の寸法などに応じて適宜定めることができる。ただし、ポンプ２０および着脱フランジ４０を着脱装置本体３２に対して鉛直上方から降ろす際に邪魔にならないような大きさであることが好ましく、たとえば１０ｍｍ以下であってもよいし、５ｍｍ以下であってもよいし、１ｍｍ以下であってもよいし、たとえば０．２〜０．３ｍｍであってもよい。このとき、ポンプ２０の自重による力が作用して封止用部材４８が圧縮されて変形し、図３のように固定配管３３の端面に確実に密着するようにすることが最も好ましく、封止用部材４８の固定配管３３側の端部の、接続配管４２の端面からの軸方向のはみ出し量が０ｍｍ（すなわち、封止用部材４８の固定配管３３側の端部が接続配管４２の端面と同じ位置である場合）であっても封止用部材４８は図３のように固定配管３３の端面に密着することができるので好ましい。  
【００４５】
図３および図４に示すように、封止用部材４８の内径側の端部は、接続配管４２の内周面から内径側にはみ出している部分を有していない。言い換えれば、封止用部材４８の径方向の自然長は、溝４２ａの幅（径方向の長さ）以下となっている。封止用部材４８の内径側の端部は、接続配管４２の内周面と面一であってもよいし、接続配管４２の内周面より外径側に収容されていてもよい。
【００４６】
ところで、背景技術の欄でも言及したように、従来のポンプ着脱装置では、着脱装置の支持部が水中で腐食することにより、支持部の支点がずれて、接続配管と固定配管との合わせ面が開いて漏れてしまうことがあった。さらに、接続配管と固定配管との合わせ面も運転時間の経過とともに腐食が進むことにより、合わせ面からの漏れが増えてしまうことがあった。合わせ面からの漏れは徐々に増加していき、気が付かないで運転を継続していると、大きなエネルギーロスをしてしまう事態になっていた。
【００４７】
これに対し、本実施の形態によれば、封止用部材４８の固定配管３３側の端部は、接続配管４２の端面が固定配管３３の端面と合わされる前の自然状態において、接続配管４２の端面から固定配管３３側にはみ出している部分を有しているため、接続配管４２の端面が固定配管３３の端面と合わされる際に、封止用部材４８は固定配管３３の端面に確実に密着して、固定配管３３と接続配管４２との合わせ面（すなわち接合部位）の封止性を向上させることができる。
【００４８】
また、本実施の形態によれば、封止用部材４８の内径側の端部には、ポンプ２０の吐き出し圧力を受けると軸方向に広がるような凹空間４８ａが形成されているため、ポンプ２０の駆動時には、凹空間４８ａにポンプ２０の吐き出し圧力が加わることで、封止用部材４８は軸方向に広がるように（凹空間４８ａが開くように）変形され、封止用部材４８の軸方向の両端部がそれぞれ、溝４２ａの底面と固定配管３３の端面に押し付けられて密着される。これにより、固定配管３３と接続配管４２との合わせ面（接合部位）の封止性が向上する。また、被係止部３４と係止部４４との当接部分にあたる着脱装置の支持部が腐食することにより、支持部の支点がずれて、固定配管３３と接続配管４２との合わせ面に隙間が発生する場合であっても、凹空間４８ａにおいてポンプの吐き出し圧力を受けている封止用部材４８は、その隙間に合わせて軸方向に広がるように（凹空間４８ａが開くように）変形されるため、隙間を封止して水漏れを抑制することができる。
【００４９】
また、本実施の形態によれば、封止用部材４８の内径側の端部が、接続配管４２の内周面から内径側にはみ出している部分を有していないため、ポンプ吐出口２１から異物が流れてきても、封止用部材４８が異物により削ぎ取られることがなく、接合部位の封止性を長期にわたって維持することができる。
【００５０】
以上、第１の実施形態を詳細に説明したが、本発明は上述した実施形態に限定されず、上述の実施形態に対して様々な変形を加えることが可能である。以下、図面を参照しながら、変形の一例について説明する。以下の説明および以下の説明で用いる図面では、上述した実施形態と同様に構成され得る部分について、上述の実施形態における対応する部分に対して用いた符号と同一の符号を用いるとともに、重複する説明を省略する。
【００５１】
図７は、第２の実施形態に係るポンプシステム１０において着脱フランジ４０と着脱装置本体３２とが装着されたときの接合部位を拡大して示す断面図である。図８は、第２の実施形態に係るポンプシステム１０において着脱フランジ４０と着脱装置本体３２とが装着される前の接合部位を拡大して示す断面図である。
【００５２】
図７および図８に示すように、第２の実施形態では、着脱フランジ４０が着脱装置本体３２に装着される際に接続配管４２の端面と合わされる固定配管３３の端面には、内径側の縁に沿って周状に溝３３ａが形成されており、当該溝３３ａ内には、環状の弾性体からなる封止用部材４８が配置されている。封止用部材４８の材質としては、たとえばゴムなどのエラストマーが用いられる。
【００５３】
図７および図８に示すように、封止用部材４８の内径側の端部には、ポンプ２０の駆動時に吐き出し圧力を受けると軸方向に広がるような凹空間４８ａが形成されている。図示された例では、凹空間４８ａの断面形状は、「コ」字形状であるが、ポンプ２０の吐き出し圧力に応じて軸方向に広がることができる形状であれば、これに限定されるものではなく、「Ｖ」字形状であってもよいし、「Ｕ」字形状であってもよい。
【００５４】
図７および図８に示す例では、封止用部材４８は、凹空間４８ａより外径側の部分において、溝３３ａの底面にビス止めされて固定されているが、これに限定されるものではなく、第１の実施形態と同様に、封止用部材４８のうち凹空間４８ａより外径側の部分には、環状の芯金４８ｂが埋設されており、封止用部材４８はその弾性力により溝３３ａの外周面に嵌め合わされて固定されていてもよい。この場合、封止用部材４８を溝３３ａに固定するために封止用部材４８をビス止めする必要がなくなるので、ビスの腐食等のビス止めに起因する不具合を排除することができる。
【００５５】
図８に示すように、封止用部材４８の接続配管４２側の端部は、固定配管３３の端面が接続配管４２の端面と合わされる前の自然状態（応力も変形もない初期状態）において、固定配管３３の端面から接続配管４２側にはみ出している部分を有している。言い換えれば、封止用部材４８の少なくとも一部は、軸方向の自然長が、溝３３ａの深さ（軸方向の長さ）より大きくなっている。
【００５６】
封止用部材４８の接続配管４２側の端部の、固定配管３３の端面からの軸方向のはみ出し量は、特に限定されるものではなく、封止用部材４８の寸法や剛性、固定配管３３および接続配管４２の端面の寸法などに応じて適宜定めることができる。ただし、ポンプ２０および着脱フランジ４０を着脱装置本体３２に対して鉛直上方から降ろす際に邪魔にならないような大きさであることが好ましく、たとえば１０ｍｍ以下であってもよいし、５ｍｍ以下であってもよいし、１ｍｍ以下であってもよいし、たとえば０．２〜０．３ｍｍであってもよい。このとき、ポンプ２０の自重による力が作用して封止用部材４８が圧縮されて変形し、図７のように接続配管４２の端面に確実に密着するようにすることが最も好ましく、封止用部材４８の接続配管４２側の端部の、固定配管３３の端面からの軸方向のはみ出し量が０ｍｍ（すなわち、封止用部材４８の接続配管４２側の端部が固定配管３３の端面と同じ位置である場合）であっても封止用部材４８は図７のように接続配管４２の端面に密着することができるので好ましい。
【００５７】
図７および図８に示すように、封止用部材４８の内径側の端部は、固定配管３３の内周面から内径側にはみ出している部分を有していない。言い換えれば、封止用部材４８の径方向の自然長は、溝３３ａの幅（径方向の長さ）以下となっている。封止用部材４８の内径側の端部は、固定配管３３の内周面と面一であってもよいし、固定配管３３の内周面より外径側に収容されていてもよい。
【００５８】
このような態様によれば、封止用部材４８の接続配管４２側の端部は、固定配管３３の端面が接続配管４２の端面と合わされる前の自然状態において、固定配管３３の端面と同じ位置か当該端面から接続配管４２側にはみ出している部分を有しているため、固定配管３３の端面が接続配管４２の端面と合わされる際に、封止用部材４８は接続配管４２の端面に確実に密着して、固定配管３３と接続配管４２との合わせ面（すなわち接合部位）の封止性を向上させることができる。
【００５９】
また、本実施の形態によれば、封止用部材４８の内径側の端部には、ポンプ２０の吐き出し圧力を受けると軸方向に広がるような凹空間４８ａが形成されているため、ポンプ２０の駆動時には、凹空間４８ａにポンプ２０の吐き出し圧力が加わることで、封止用部材４８は軸方向に広がるように（凹空間４８ａが開くように）変形され、封止用部材４８の軸方向の両端部がそれぞれ、溝３３ａの底面と接続配管４２の端面に押し付けられて密着される。これにより、固定配管３３と接続配管４２との合わせ面（接合部位）の封止性が向上する。また、被係止部３４と係止部４４との当接部分にあたる着脱装置の支持部が腐食することにより、支持部の支点がずれて、固定配管３３と接続配管４２との合わせ面に隙間が発生する場合であっても、凹空間４８ａにおいてポンプの吐き出し圧力を受けている封止用部材４８は、その隙間に合わせて軸方向に広がるように（凹空間４８ａが開くように）変形されるため、隙間を封止して水漏れを抑制することができる。
【００６０】
また、本実施の形態によれば、封止用部材４８の内径側の端部が、固定配管３３の内周面から内径側にはみ出している部分を有していないため、ポンプ吐出口２１から異物が流れてきても、封止用部材４８が異物により削ぎ取られることがなく、接合部位の封止性を長期にわたって維持することができる。
【００６１】
以上、本発明の実施の形態および変形例を例示により説明したが、本発明の範囲はこれらに限定されるものではなく、請求項に記載された範囲内において目的に応じて変更・変形することが可能である。また、各実施の形態および変形例は、処理内容を矛盾させない範囲で適宜組み合わせることが可能である。
【符号の説明】
【００６２】
１０    ポンプシステム
２０    ポンプ
２１    吸込口
２２    吐出口
２３    モータ
２４    取付部
３０    ポンプ着脱装置
３２    着脱装置本体
３３    固定配管
３３ａ  溝
３４    被係止部
３６    架台
４０    着脱フランジ
４２    接続配管
４２ａ  溝
４４    係止部
４６    ガイド体
４７    孔部
４８    封止用部材
４８ａ  凹空間
４８ｂ  芯金
５０    エルボ配管
５２    ガイドレール
５６    吊り具
【図１】
2020045847.tif 000003
【図２】
2020045847.tif 000004
【図３】
2020045847.tif 000005
【図４】
2020045847.tif 000006
【図５】
2020045847.tif 000007
【図６】
2020045847.tif 000008
【図７】
2020045847.tif 000009
【図８】
2020045847.tif 000010